(57)【要約】【課題】  簡単な構造で床板を確実に位置決めできるとともに、床板の敷き詰め作業を容易に行うことができるようにした床板の支持構造を提供する。【解決手段】  平面視多角形の床板１の各角部を、基礎床上に支持脚１６をもって、基礎床から離間させて支持するようにした床板の支持構造において、床板１を、平面視ほぼ多角形の表面板の各辺に垂下片４を設けるとともに、表面板の各角部における垂下片４に切り欠き６を設け、かつ各垂下片４の下端に内向き片５を設けたものとし、支持脚１６の上面に、床板１の各角部において隣接する両垂下片４、４の切り欠き６部分が外周面に当接するようにした突軸１９と、床板１の各角部において隣接する両内向き片５、５の内側縁に両側端が当接することにより、床板１を位置決めする位置決め突片２０とを設ける。【選択図】      図３
2005127041.tif 000002
【特許請求の範囲】
【請求項１】
平面視多角形の床板の各角部を、基礎床上に支持脚をもって、前記基礎床から離間させて支持するようにした床板の支持構造において、
前記床板を、平面視ほぼ多角形の表面板の各辺に垂下片を設けるとともに、前記表面板の各角部における垂下片に切り欠きを設け、かつ各垂下片の下端に内向き片を設けたものとし、前記支持脚の上面に、前記床板の各角部において隣接する両垂下片の切り欠き部分が外周面に当接するようにした突軸と、前記床板の各角部において隣接する両内向き片の内側縁に両側端が当接することにより、床板を位置決めする位置決め突片とを設けたことを特徴とする床板の支持構造。
【請求項２】
支持脚の上面中央に突軸を設け、かつ前記突軸を中心とする同一円周上に複数の位置決め突片を等間隔で設け、複数の床板の角部を、前記突軸を中心として互いに突き合わせて単一の支持脚により支持するようにした請求項１記載の床板の支持構造。
【請求項３】
表面板の各角部にも、垂下片の切り欠きと連続する切り欠きを設けた請求項１または２記載の床板の支持構造。
【請求項４】
突軸の高さを、支持脚の上面に床板を載置したときの表面板の上面の高さとほぼ等高とし、表面板の切り欠き部分を前記突軸の外周面に当接させた請求項３記載の床板の支持構造。
【請求項５】
突軸および位置決め突片を除く支持脚の上面に、緩衝材料製のシートを付設した請求項１〜４のいずれかに記載の床板の支持構造。
【請求項６】
支持脚を、鋼板をプレス加工して伏せ椀状に形成するとともに、その上面に、突軸をバーリング加工により、かつ位置決め突片を切り起こしにより形成した請求項１〜５のいずれかに記載の床板の支持構造。
【請求項７】
床板を、平面視三角形の表面板の各辺に垂下片を設けるとともに、各垂下片の下端に内向き片を設けた２個の三角形パネルの一辺同士を互いに突き合わせて結合したものにより形成し、両三角形パネルの互いに突き合わせ辺の両端の角部において、外側の２枚の垂下片には、突軸の外周面に当接する切り欠きを設け、かつ互いに突き合わされた内側の２枚の垂下片には、位置決め突片が嵌合しうる、前記切り欠きより大きい切り欠きを設けた請求項１〜６のいずれかに記載の床板の支持構造。
【発明の詳細な説明】
【技術分野】
【０００１】
本発明は、基礎床上に支持脚をもって床板の各角部が支持されるようにした、いわゆるＯＡフロア用の床板の支持構造に関する。
【背景技術】
【０００２】
この種の床板の支持構造の従来例としては、支持脚の上面に設けた突出部に、床板の角部の下面に設けた凹部を嵌合して、床板の位置決めを図るようにしたものがある(例えば特許文献１参照)。
【０００３】
また、支持脚である板状本体の上面に十字状の係止片を突設し、床板の角部を支持脚上に載置したとき、隣接する床板の側面間に係止片が嵌入して、隣接する床板を固定するようにしたものもある(例えば特許文献２参照)。
【特許文献１】特開２００２−２３５４３０号公報（図１、図５〜７、図１２）
【特許文献２】実開昭５７−１８５８４１号公報（図５および図８）
【発明の開示】
【発明が解決しようとする課題】
【０００４】
しかし、特許文献１に記載されているものにおいては、支持脚の突出部と床板の下面の凹部とが、床板の上方から視認できないので、突出部と凹部とを係合させにくく、しかも、それらを係合させた後も、床板は突出部を中心として自由に回動できるので、確実に位置決めできず、不安定である。
【０００５】
また、特許文献２に記載されているものにおいては、床板の側面に、係止片を嵌合するための傾斜面等を形成しなければならず、その加工が面倒であるとともに、床板のひとつの角部を１対の係止片に当接させて位置決めするようにしているので、床板は両係止片から離れる方向に移動することができ、完全な位置決めを図ることはできない。
【０００６】
本発明は、従来の技術が有する上記のような問題点に鑑み、簡単な構造で床板を確実に位置決めできるとともに、床板の敷き詰め作業を容易に行うことができるようにした床板の支持構造を提供することを目的としている。
【課題を解決するための手段】
【０００７】
本発明によると、上記課題は、次のようにして解決される。
（１）平面視多角形の床板の各角部を、基礎床上に支持脚をもって、前記基礎床から離間させて支持するようにした床板の支持構造において、前記床板を、平面視ほぼ多角形の表面板の各辺に垂下片を設けるとともに、前記表面板の各角部における垂下片に切り欠きを設け、かつ各垂下片の下端に内向き片を設けたものし、前記支持脚の上面に、前記床板の各角部において隣接する両垂下片の切り欠き部分が外周面に当接するようにした突軸と、前記床板の各角部において隣接する両内向き片の内側縁に両側端が当接することにより、床板を位置決めする位置決め突片とを設ける。
【０００８】
（２）上記(１)項において、支持脚の上面中央に突軸を設け、かつ前記突軸を中心とする同一円周上に複数の位置決め突片を等間隔で設け、複数の床板の角部を、前記突軸を中心として互いに突き合わせて単一の支持脚により支持するようにする。
【０００９】
（３）上記(１)または(２)項において、表面板の各角部にも、垂下片の切り欠きと連続する切り欠きを設ける。
【００１０】
（４）上記(３)項において、突軸の高さを、支持脚の上面に床板を載置したときの表面板の上面の高さとほぼ等高とし、表面板の切り欠き部分を前記突軸の外周面に当接させる。
【００１１】
（５）上記(１)〜(４)項のいずれかにおいて、突軸および位置決め突片を除く支持脚の上面に、緩衝材料製のシートを付設する。
【００１２】
（６）上記(１)〜(５)項のいずれかにおいて、支持脚を、鋼板をプレス加工して伏せ椀状に形成するとともに、その上面に、突軸をバーリング加工により、かつ位置決め突片を切り起こしにより形成する。
【００１３】
（７）上記(１)〜(６)項のいずれかにおいて、床板を、平面視三角形の表面板の各辺に垂下片を設けるとともに、各垂下片の下端に内向き片を設けた２個の三角形パネルの一辺同士を互いに突き合わせて結合したものにより形成し、両三角形パネルの互いに突き合わせ辺の両端の角部において、外側の２枚の垂下片には、突軸の外周面に当接する切り欠きを設け、かつ互いに突き合わされた内側の２枚の垂下片には、位置決め突片が嵌合しうる、前記切り欠きより大きい切り欠きを設ける。
【発明の効果】
【００１４】
本発明によると、次のような効果を奏することができる。
（ａ）請求項１記載の発明によると、床板の角部における垂下片の切り欠きを支持脚の上面に設けた突軸の外周面に当接させ、かつ床板の角部における両内向き片の内側縁を位置決め突片の両側端に当接させることにより、各床板の角部は、支持脚に対して水平方向のいずれの方向にも確実に位置決めされ、妄りに位置ずれすることはない。
また、床板の角部における垂下片の切り欠きを支持脚の上面に設けた突軸の外周面に当接させ、その突軸を中心として床板を側方に若干回動させつつ下降させることにより、その床板の角部における両内向き片の内側縁間に位置決め突片を簡単に突入させて、床板の敷き詰め作業を容易に行うことができる。
【００１５】
（ｂ）請求項２記載の発明によると、単一の支持脚上に、複数の床板の角部を、突軸を中心として、互いに位置ずれ等が生じることなく、正確に位置決めして支持することができる。
【００１６】
（ｃ）請求項３記載の発明によると、表面板の各角部に設けた切り欠きを通して、突軸を視認しつつ床板の張り詰め作業を行うことができるので、作業性がよい。
【００１７】
（ｄ）請求項４記載の発明によると、表面板の切り欠き部分を突軸の外周面に当接させたことにより、床板の突軸に対する当接時の強度が増すとともに、突軸と切り欠きとを視認しつつ作業ができるので、作業性がよい。
しかも、突軸の上面と表面板の上面との高さがほぼ等高となるので、床板の敷き詰め後の体裁がよい。
【００１８】
（ｅ）請求項５記載の発明によると、複数の支持脚の上面の高さの相違を、緩衝材料製のシートが吸収できるとともに、がたつき音等の発生を防止することができる。
【００１９】
（ｆ）請求項６記載の発明によると、支持脚を、容易に、かつ安価に製造することができる。
【００２０】
（ｇ）請求項７記載の発明によると、１枚の床板の中央に、２個の三角形パネルの対向する辺の垂下片が互いに突き合わされて結合された状態で存在するので、各床板の強度が増すとともに、この中央の垂下片に切り欠きを設けたことにより、中央の垂下片が位置決め突片と干渉するのが防止される。
【発明を実施するための最良の形態】
【００２１】
以下、本発明の一実施形態を、図面に基づいて説明する。
図１は、本発明の一実施形態をもって床板を基礎床上に敷き詰めたときの平面図、図２〜図５は、その各部の詳細を示す図である。図６は、本発明の一実施形態に用いる床板を構成する２個の三角形パネルの分解斜視図、図７は床板の底面図、図８は支持脚の斜視図である。
【００２２】
図６に示すように、平面視正方形の床板(１)を構成する２個の三角形パネル(2A)(2B)は、１枚の鋼板を折曲して形成され、平面視直角二等辺三角形の表面板(３)と、その各辺から垂下する垂下片(４)と、各垂下片(４)の下端から内方に直角に折曲形成された内向き片(５)とを備えている。
【００２３】
三角形パネル(2A)(2B)の各角部には、それらの斜辺同士を互いに突き合わせて平面視正方形の床板(１)を形成したとき、面取り状をなす切り欠き(６)が設けられている。
また、図７に示すように、各三角形パネル(2A)(2B)の直角角部を挟む２辺の内向き片(５)(５)の両端部には、段状の切り欠き(７)が、さらに各三角形パネル(2A)(2B)の斜辺部における垂下片(４)と内向き片(５)との両端部には、切り欠き(７)より大きい切り欠き(８)がそれぞれ設けられている。
【００２４】
三角形パネル(2A)の斜辺部における垂下片(４)の中央から両側方に離間した部分には、左右２個ずつの係合孔(９)が設けられている。これらの係合孔(９)は、図６における右方の側辺が対向する左方の側辺より短い横向き台形状をなしている。
また、三角形パネル(2A)の斜辺部における垂下片(４)の一方の端部寄りの部分には、図６における右方に向かって漸次隆起する楔状の係合突起(10)が設けられている。
【００２５】
三角形パネル(2B)の斜辺部における垂下片(４)の中央から両側方に離間した部分には、上記係合孔(９)に対応して、平面視鉤形の左右２個ずつの係合爪(11)が設けられている。これらの係合爪(11)は、いずれも先端が図６における左方に向かって延出し、かつ側面形が、先端の幅が基端の幅より短く、係合孔(９)より小寸の相似形である横向き台形状をなしている。係合爪(11)の基部の上下方向の幅は、対応する係合孔(９)における係合爪(11)が係合する方の側辺の上下方向の長さより大としておくのが好ましい。
また、係合爪(11)は、三角形パネル(2B)を形成する鋼板の材質として、適度の弾性を有しており、若干弾性撓曲可能である。
【００２６】
三角形パネル(2A)(2B)の斜辺部同士を互いに向き合わせたとき、三角形パネル(2A)の係合突起(10)と対向する三角形パネル(2B)の斜辺部の垂下片(４)における一方の端部寄りの部分には、横長長方形の位置決め孔(12)が設けられている。
【００２７】
かくして、三角形パネル(2A)(2B)の斜辺同士を互いに突き合わせるとともに、対向する各斜辺の垂下片(４)の係合爪(11)を係合孔(９)の幅狭となる方の側部に係合させ、かつ係合突起(10)を位置決め孔(12)の側縁に係合させて、各係合爪(11)が係合孔(９)から離脱する方向への両三角形パネル(2A)(2B)の相対移動を阻止することにより、両三角形パネル(2A)(2B)は互いに離脱不能として強固に結合され、１枚の平面視正方形の床板(１)が形成される。
【００２８】
図４および図５に示すように、両三角形パネル(2A)(2B)を、係合突起(10)が位置決め孔(12)の側縁に係合する正規の状態に結合したとき、各係合爪(11)の基部は、対応する係合孔(９)における幅狭の側辺に当接する前に係合孔(９)の上下の縁間に楔入して停止するようにしておくのがよい。
このようにすると、互いに係合する２枚の三角形パネル(2A)(2B)の一方のみに大きな荷重が作用して撓んだ場合等に、係合爪(11)が係合孔(９)内において傾動して、２枚の三角形パネル(2A)(2B)間の上下方向の位置ずれやがたつきを確実に防止することができる。
しかし、各係合爪(11)の基部の上下方向の幅を、対応する係合孔(９)における幅狭の側辺の上下方向の長さより小としておき、係合爪(11)の基部が、対応する係合孔(９)における幅狭の側辺に当接した状態で係合するようにしてもよい。
【００２９】
図７および図２に示すように、各三角形パネル(2A)(2B)における表面板(３)の下面には、表面板(３)の斜辺と平行をなすとともに、下方に向かって山形に突出する複数の山形突条(14)(14)を有する補強板(13)が、山形突条(14)(14)の両端部の下端面が表面板(３)の他の２辺に設けた内向き片(５)(５)の上面に当接するようにして固着されている。
山形突条(14)の両端部の下端面は、スポット溶接等により、内向き片(５)の上面に固着するのがよい。
【００３０】
各三角形パネル(2A)(2B)を、垂下片(４)と内向き片(５)と補強板(13)とにより、上述したように補強することによって、各三角形パネル(2A)(2B)およびそれらによって形成される床板(１)は強固な構造を呈し、使用する鋼板の板厚を薄くしても十分な強度を保つことができ、軽量化を図ることができる。
【００３１】
図８は、床板(１)の各角部を、基礎床(15)(図２参照)上に、基礎床(15)から上方に所要距離だけ離間させて支持する支持脚(16)を示す。
この支持脚(16)は、鋼板をプレス加工して伏せ椀状に形成された本体(17)と、この本体(17)の外周縁に等間隔で連設された２個の扇型の取付片(18)と、本体(17)の上面中央にバーリング加工により上向き円筒状に形成された突軸(19)と、本体(17)の上面における突軸(19)を中心とする同一円周上に等間隔をもって切り起こして形成された４個の上向きの位置決め突片(20)とを備えている。
【００３２】
この例では、突軸(19)および位置決め突片(20)の本体(17)の上面からの高さは、床板(１)の厚さ、より正確には、内向き片(５)の下面から表面板(３)の下面までの距離より小とし、かつ突軸(19)の外径は、４個の床板(１)の各角部を互いに突き合わせて並べたとき、その各角部の垂下片(４)の端部における切り欠き(６)に接するようにしてあるが、突軸(19)の高さを、床板(１)の厚さとほぼ同等とし、かつ突軸(19)の外径を、４個の床板(１)の各角部を互いに突き合わせて並べたとき、表面板(３)の切り欠き(６)に内接するようにしてもよい。
【００３３】
本体(17)の上面には、突軸(19)および４個の位置決め突片(20)が挿通するようにした挿通孔(21)(22)が設けられた、ゴム等の緩衝材料製のシート(23)が付設されている。
【００３４】
基礎床(15)上に多数の床板(１)を敷き詰めるには、図１〜図３に示すように、基礎床(15)上に、シート(23)を載置した多数の支持脚(16)を、床板(１)の各辺の長さ(切り欠き(６)を設けないと想定したときの長さ)と等間隔で、かつすべて同一の向きとして配置し、かつ必要に応じて基礎床(15)にねじ等をもって止着する。
部屋の隅部の基礎床(15)上には、必要に応じて、支持脚(16)を平面視において２当分または４等分した形状の隅部用の支持脚、またはその他の隅部用の支持部材(いずれも図示略)を配設する。
【００３５】
次いで、床板(１)を、その各角部における垂下片(４)の端部の切り欠き(６)の縁が突軸(19)の外周面に当接し、かつ各角部に隣接する両内向き片(５)(５)の端部の切り欠き(７)(７)の内側縁間に、位置決め突片(20)が嵌合して、その位置決め突片(20)の両側端が切り欠き(７)(７)の内側縁に当接するようにして順次支持脚(16)上に載置する(図３参照)。
このとき、床板(１)における両三角形パネル(2A)(2B)の互いに突き合わされた斜辺の垂下片(４)(４)が位置決め突片(20)と干渉しないようにするために、斜辺の垂下片(４)(４)の両端部に大寸法の切り欠き(８)(８)が設けられている。
【００３６】
こうして多数の床板(１)を敷き詰めた状態を図１に示してある。各床板(１)における両三角形パネル(2A)(2B)を突き合わせた接合部分の向きは、図１に示すようにすべて同一としてもよいが、交互にまたは任意にその向きを変更してもよい。また、図１における各三角形パネル(2A)(2B)の直角角部を挟む両辺の垂下片(４)(４)には、基礎床(15)と床板(１)との間に配設された配線を、任意の位置から床板(１)の上方に引き出すための凹み(24)を設けておくのが好ましい。
【００３７】
このようにして多数の床板(１)を敷き詰めることにより、各床板(１)の角部は、支持脚(16)の突軸(19)と位置決め突片(20)とにより、支持脚(16)に対して水平方向のいずれの方向にも確実に位置決めされ、妄りに位置ずれすることなく、基礎床(15)から所要の高さに支持される。
また、床板(１)の角部における垂下片(４)の切り欠き(６)を支持脚(16)の上面に設けた突軸(19)の外周面に当接させ、その突軸(19)を中心として床板(１)を側方に若干回動させつつ下降させることにより、その床板(１)の角部における両内向き片(５)(５)の内側縁間に位置決め突片を簡単に突入させて、床板(１)の敷き詰め作業を容易に行うことができる。
【００３８】
なお、上記の実施形態においては、各三角形パネル(2A)(2B)を平面視直角二等辺三角形とし、それらの斜辺同士を突き合わせて結合することにより、平面視正方形の床板(１)を形成するようにしたが、床板(１)の平面形状を正方形以外の多角形としたり、上記の各三角形パネル(2A)(2B)をその他の形状としてもよい。
また、係合突起(10)を三角形パネル(2B)側に設け、かつそれに係合する位置決め孔(12)を三角形パネル(2A)側に設けてもよい。
【００３９】
さらに、突軸(19)を角柱状としたり、突軸(19)および位置決め突片(20)を、本体(17)と別体として形成して、本体(17)に固着してもよい。
【図面の簡単な説明】
【００４０】
【図１】本発明の一実施形態をもって床板を基礎床上に敷き詰めたときの一部の平面図である。
【図２】同じく、図１のII−II線に沿う縦断面図である。
【図３】同じく、図２のIII−III線に沿う拡大横断平面図である。
【図４】同じく、図２のIV−IV線に沿う拡大横断平面図である。
【図５】同じく、図４のV−V線に沿う縦断面図である。
【図６】同じく、床板の分解斜視図である。
【図７】同じく、床板の底面図である。
【図８】同じく、支持脚の斜視図である。
【符号の説明】
【００４１】
(１)床板
(2A)(2B)三角形パネル
(３)表面板
(４)垂下片
(５)内向き片
(６)(７)(８)切り欠き
(９)係合孔
(10)係合突起
(11)係合爪
(12)位置決め孔
(13)補強板
(14)山形突条
(15)基礎床
(16)支持脚
(17)本体
(18)取付片
(19)突軸
(20)位置決め突片
(21)(22)挿通孔
(23)シート
(24)凹み
【図１】
2005127041.tif 000003
【図２】
2005127041.tif 000004
【図３】
2005127041.tif 000005
【図４】
2005127041.tif 000006
【図５】
2005127041.tif 000007
【図６】
2005127041.tif 000008
【図７】
2005127041.tif 000009
【図８】
2005127041.tif 000010